(57)【要約】【課題】  ミリ波帯域の電波を使用する無線伝送システムであって、ミリ波帯域の電波を使用するメリットを最大限に享受でき、特に、住居の部屋や個室での隔離された空間での使用に適した天井設置体及び無線伝送システムを提供する。【解決手段】引掛シーリング部と、該引掛シーリング部に引掛けられる引掛部とを具備してなる天井設置体において、上記引掛シーリング部が、転送用ケーブルコネクタと、無線通信機器を具備し、上記転送用ケーブルコネクタがデータ転送用プラグと連結可能に設けられてなることを特徴とする天井設置体を提供する。【選択図】図１
2008042791.tif 000002
【特許請求の範囲】
【請求項１】
引掛シーリング部と、該引掛シーリング部に引掛けられる引掛部とを具備してなる天井設置体において、上記引掛シーリング部が、転送用ケーブルコネクタと、無線通信機器を具備し、上記転送用ケーブルコネクタがデータ転送用プラグと連結可能に設けられてなることを特徴とする天井設置体。
【請求項２】
引掛部が照明器具である請求項１記載の天井設置体。
【請求項３】
無線通信機器として、無線通信用アンテナ及び送受信装置を具備した、請求項１又は２に記載の天井設置体。
【請求項４】
無線送受信可能に設けた複数の電子機器と、アンテナとを具備し、該電子機器の少なくとも１つから該アンテナに無線伝送を行う無線伝送システムにおいて、上記アンテナが請求項１記載の天井設置体内に取り付けられたことを特徴とする無線伝送システム。
【発明の詳細な説明】
【技術分野】
【０００１】
本発明は、天井設置体と該天井設置体を用いた無線伝送システムに関する。
【背景技術】
【０００２】
近年、無線通信を用いて種々の電化製品やパソコン（以下、ＰＣと略す）等を使用する方法が種々応用されており、例えば図８に示される方法が提案されている。
図８は、ＰＣ１７を、例えばＬＡＮケーブルや無線ＬＡＮ等を用いて、ルータやモデム２０を介して、非対称デジタル加入線（Ａｓｙｍｍｅｔｒｉｃ  Ｄｉｇｉｔａｌ  Ｓｕｂｓｃｒｉｂｅｒ  Ｌｉｎｅ：以下、ＡＤＳＬと略す）やファイバー・ツー・ザ・ホーム（Ｆｉｂｅｒ  Ｔｏ  Ｔｈｅ  Ｈｏｍｅ：以下、ＦＴＴＨと略す）回線２１に接続している屋内の様子を示す。
【０００３】
そして、ＰＣ１７を無線接続する場合、ＰＣ１７と無線通信用アンテナ及び送受信装置１４の間は無線電波によって接続することができる。
【０００４】
この場合、無線通信用アンテナ及び無線通信送受信装置１４が壁１３に設置されているので、この装置１４が無線信号を送受信し、データ転送用ケーブル１５及びモデムやルータ２０を介して回線２１に接続させることにより、ＰＣ１７をインターネット等に接続することができる。
【０００５】
このような対応は、一般にマイクロ波（３００ＭＨｚ〜３０ＧＨｚ）での周波数で行われているが、このマイクロ波は、電波の回折が大きく、空気中等での減衰が小さいため、無線通信アンテナ及び送受信装置１４の設置が比較的自由であるという特徴を有するものである。
【０００６】
【特許文献１】特開２００２−２８９３７３２号公報
【発明の開示】
【発明が解決しようとする課題】
【０００７】
特許文献１には、複数の電機機器を１のリモコン機器で操作可能にできる無線アンテナ付照明器具等が開示されている。
【０００８】
この提案を、図８で示すと、室内灯やライト等の照明器具１６をリモコン２６で操作できるようにしたもので、リモコン２６からの信号をアンテナ等の送受信装置１４が感知し、該装置１４に連結した照明器具１６に電力を送り操作できるようにしたものである。なお、照明器具１６は、通常、天井・壁１３等に配線された電力線１１から引掛シーリング１２を介して、照明器具用電源コンセント１８と照明器具用電源プラグとで連結されることにより、電力の供給を受けて明かりを灯すようになっている。
【０００９】
しかしながら、特許文献１の提案は、実質的に無線電波としてマイクロを使用するものであるため、マイクロ波が数ｃｍ程度の厚さの壁を透過する性質を有することから、設置する建物の構造等によって通信不良が起こしたり、その逆に不要な無線を受信して誤作動を起こしたりといった部屋などの壁で囲まれた空間適用に支障を招くという問題がある。
【００１０】
一方、局所的な無線通信に利用できる新たな電波として、ミリ波帯、特に６０ＧＨｚ帯の電波を利用することが進められているが、６０ＧＨｚ帯の電波は、マイクロ波帯の電波と比較すると、大気中の酸素分子に吸収されやすいという問題があり、ミリ波をマイクロ波の代わりとして直ちに用いるのは技術的に困難視されている。例えば、特許文献１の例をミリ波帯の電波でも適用しようとすると、マイクロ波と比較して電波の指向性が強すぎるため、人や物が通るだけでも電波の電搬が遮蔽されてしまう上、空気中での減衰が大きいという問題が発生し、ミリ波使用に適したシステムが求められている。
【００１１】
そこで、図８の例において、データ転送用ケーブルやＡＤＳＬ回線やＦＴＴＨ回線等の回線を壁や天井の外側にも引くこと等が考えられているが、配線がじゃまになって設置場所が限られ、外観を悪くする上、利便性に支障を来たし却って使いづらくなってしまう。
【課題を解決するための手段】
【００１２】
本発明は上記事情に鑑みなされたもので、引掛シーリング部と、該引掛シーリング部に引掛けられる引掛部とを具備してなる天井設置体において、上記引掛シーリング部が、転送用ケーブルコネクタと、無線通信機器を具備し、上記転送用ケーブルコネクタがデータ転送用プラグと連結可能に設けられてなることを特徴とする天井設置体を提供する。
【００１３】
この場合、上記引掛部は、蛍光灯、室内照明等の照明器具であること、また、無線通信機器として、無線通信用アンテナ及び送受信装置を具備した天井設置体であることがミリ波特性を活かしたシステムの適用の観点から好ましい。
【００１４】
更に、本発明は、無線送受信可能に設けた複数の電子機器と、アンテナとを具備し、該電子機器の少なくとも１つから該アンテナに無線伝送を行う無線伝送システムにおいて、上記アンテナが上記天井設置体内に取り付けられたことを特徴とする無線伝送システムを提供する。
【発明の効果】
【００１５】
本発明は、壁で仕切られた空間ごとの通信環境を良好に行なうことができるので、同一部屋内の通信が遮られるのを防ぐことができ、壁の厚さに関係なく各部屋で確実な通信を行うことができる。また、天井に取り付ける装置のため、部屋を従来どおり使用することができ、部屋の外観に影響を与えることなく、無線伝送環境を向上させることができる。更に、引掛シーリングにデータ転送用コネクタの機能をもたせることにより、簡単に取り付けることができ、照明装置の内部に配置されることにより、部屋内にデータ転送用ケーブル等の外付けのケーブル等を敷設しなくてすみ、利便性、外観上の美観を損なうことが避けられる。本発明の天井設置体及びシステムは６０ＧＨｚ以上のミリ波帯域の電波を使用するシステムとして好適に採用することができる。
【発明を実施するための最良の形態】
【００１６】
以下、本発明の実施例を具体的に説明するが、本発明は下記の実施例に制限されるものではない。
【実施例１】
【００１７】
図１は、本発明の第１の実施例を示す装置構成である。この構造は、引掛シーリング部１と、該引掛シーリング部１に引掛けられる引掛部として照明器具２を天井に取り付けた天井設置体の様子を示し、上記照明器具２は、引掛シーリング部１に無線通信用アンテナ及び送受信装置３を組み込んだ構成を採ったものである。なお、本発明において、天井設置体というときは、引掛シーリング部と引掛部とを少なくとも具備したものを言うが、換言すると、天井に設置するのに使う構成全体をいうものであり、引掛部の用途によって、構成は種々のものを挙げることができ、特に制限されるものではない。
【００１８】
図１の無線通信用アンテナ及び送受信装置３は、引掛シーリング本体４の取付け位置からみて下側に照明器具３と連結して取付けられている。
【００１９】
上記引掛シーリング部１は、引掛シーリング本体４と無線通信用アンテナ及び送受信装置３とから構成されているが、引掛シーリング本体４は、図２に示されるように、通常の引掛シーリングと同様に照明機器用電源コンセント１８を具備するものである。本発明においては、引掛シーリング本体４にデータ転送用プラグを差し込むための凹部のデータ転送用ケーブルコネクタ２２が形成されている。なお、このデータ転送用ケーブルコネクタ２２の形状は、差し込むデータ転送用プラグの形状に応じて適宜調整されるもので、特に制限されるものではない。
【００２０】
図３は、上記引掛シーリング部１の接続状態を示した部分断面拡大図であり、図２のデータケーブルコネクタ２２にデータ転送用プラグ２３が差し込まれた様子を示す。
実施例１の照明器具２は、照明機器用電源プラグ１９を、引掛シーリング１２の照明機器用電源コンセント１８に挿入することによって、電源を得るように接続されているものであるが、この時、無線通信用アンテナ及び送受信装置３も照明器具１６と同様に照明機器用電源プラグ１９を引掛シーリング１の照明機器用電源コンセント１８の挿入で電源を得ることができるように構成されている。また、天井・壁内１３にデータ転送用ケーブルプラグ２３と連結したデータ転送用ケーブル１５（例えば、ＬＡＮケーブル）が敷設されているので、更にこのケーブルは回線２１（例えばＡＤＳＬ、ＦＴＴＨ等）と連結され、無線伝送可能に設けられている。
【００２１】
従って、第１の実施例によれば、照明器具２の取付けにより、無線通信用アンテナ及び送受信装置３を同時に取り付けられるので、従来の照明装置を取り付ける場合と殆ど変わらない簡単な取り付けで、ミリ波の無線伝送が可能なシステムを構築することができる。
【００２２】
第１の実施例で照明器具２を使用する場合には、ＡＶ機器２６やＰＣ１７等の通常の無線伝送可能に設けた装置を利用して、該照明器具２に取り付けた無線アンテナ及び送受信装置３を使用してミリ波の伝送方式で伝送を行えばよい。
【００２３】
本発明の第１の実施例によれば、無線アンテナ及び送受信装置３が天井に取り付けられているので、ミリ波の欠点である強い指向性による通信が遮られることを防ぐ効果が付与され良好な通信環境が構築できる。また、天井や壁内１３にデータ転送用ケーブル（例えば、ＬＡＮケーブル）を敷設することにより、壁を透過しないミリ波を、各部屋でシームレス（ユーザが伝送環境を意識せずに各部屋においてミリ波無線ＬＡＮを自由に使用できること。）に使用できる効果を得ることができる。従って、インターネットに接続したままＰＣを複数の部屋に自由に持ち運んで使用することが可能である。また、照明器具への簡単な取付けで済むので、部屋内にデータ転送用ケーブルを敷設しなくて済み、部屋の利便性を向上させることができる上、外観上も良好に保持できる。
【実施例２】
【００２４】
図４は本発明の第２の実施例を示す装置構成である。第２の実施例は、第１の実施例とほぼ同じ構成であるため、第１の実施例と同じ構成については同一の番号を付して説明を省略し、以下、異なる構成点についてのみ述べる。
【００２５】
第２の実施例の構成は、照明器具２内に、無線通信用アンテナ及び送受信装置３が設置された構成を採る。このとき、無線通信用アンテナ及び送受信装置３は、先に示した第１の実施例と同様に、照明機器用電源コンセント１８、データ転送用コンセント２２を有する引掛シーリング本体４に取り付け可能に設けられたものである（図２参照）。
【００２６】
無線通信用アンテナ及び送受信装置３は、照明器具２が引掛シーリング本体４に設置される際、照明器具２が有する引掛シーリング本体４を取り付けのために必要な空隙を利用するもので、無線通信用アンテナ及び送受信装置３は、照明器具２内に配置されて設置されたものである。
【００２７】
第２の実施例によれば、既存の照明器具を利用して、当該の照明器具に隣接して、無線通信用の機材を設置できる上、第１の実施例と比較して、照明器具内に設置することができるので、設置場所の省スペース化を図ることができる。
【実施例３】
【００２８】
図５は本発明の第３の実施例を示す装置の構成を示す。第３の実施例の構成は、ＬＥＤ等をアレイ状に並べた照明器具２を利用した例で、この照明器具２内には無線アンテナ及び送受信装置３が取り付けられている。
【００２９】
図６は、図５の実施例の照明装置２構成要素を示した説明図である。照明装置２は照明のＬＥＤを拡散するためのレンズ２８が配設されたものである。そして、このレンズ２８の隙間に、無線通信用のアンテナ２５がアレイ状に並べられている。
【００３０】
図７は、図６のＣ−Ｃ断面図で照明器具２全体を示している。この照明器具２は、上記レンズ２８とアンテナ２５とを配設した基板が、ＬＥＤ２４とパッチアンテナ・パッチアンテナを含むＭＭＩＣ等のＩＣ（以下、パッチアンテナと略す）２７とを含む照明カバー２９に連結された構成になっている。
【００３１】
この照明カバー２９は、上記レンズ２８と接してＬＥＤが配設されると共に、ホーン形状の穴が開けられてその穴にパッチアンテナ２７が埋め込まれ、上記アレイ状に並べられたアンテナがこのパッチアンテナ２７と接する構造になっている。これら構造は更に無線アンテナ及び送受信装置３が取り付けられ、無線伝送可能に設けられている。
【００３２】
第３の実施例は、第１及び第２の実施例と同様な動作と作用効果を有するが、特に、ＬＥＤ２４上にレンズ２８が設けられているので、照明効率を上げることが可能となる上、パッチアンテナ２７とアレイアンテナ２５との配置により、照明カバー２９でアンテナ構成を更に担保しているので、照明効率と送信利得を同時に高めることができる。
【００３３】
以上のように、第３の実施例によれば、ＬＥＤ等を利用した照明器具２の場合、アンテナスペースを別途設ける必要が無くなり、省スペース化を図ることができる。さらに、無線伝送及び照明効率を上げることが同時に可能となる。なお、照明器具に搭載する発光素子としては、省電力化の観点からＬＥＤの使用が好適であるが、電球や球状の蛍光管でも有効である。
【００３４】
以上、本発明を詳述してきたが、本発明は、特許請求の範囲を逸脱しない限り種々変更して差し支えない。引掛部としては、例えば、火災報知機、スプリンクラー、防犯センサー等の天井に取り付けられるものに使用することができ、その取り付け位置は特に制限されるものではないが、伝送効率の観点から部屋の中央に設置することが推奨され、屋内使用を考慮すると利便性の観点から照明器具であることが推奨される。
【図面の簡単な説明】
【００３５】
【図１】本発明の第１の実施例を示す概要図である。
【図２】図１の引掛シーリング本体のＡ方向からみた正面図である。
【図３】図１の引掛シーリング部の接続状態を示した部分断面拡大図である。
【図４】本発明の第２の実施例を示す概要図である。
【図５】本発明の第３の実施例を示す概要図である。
【図６】図５の構成要素の一部を示す説明図である。
【図７】図６の構成要素のＣ−Ｃ断面図である。
【図８】従来の屋内の無線伝送を示す概要図である。
【符号の説明】
【００３６】
１  引掛シーリング部
２  照明器具
３  無線通信アンテナ及び送受信装置
４  引掛シーリング本体
【図１】
2008042791.tif 000003
【図２】
2008042791.tif 000004
【図３】
2008042791.tif 000005
【図４】
2008042791.tif 000006
【図５】
2008042791.tif 000007
【図６】
2008042791.tif 000008
【図７】
2008042791.tif 000009
【図８】
2008042791.tif 000010